(57)【要約】【課題】短期間に液が途切れることなく本文具だけで長時間使用でき、併せて、簡便に太細自由に選択して書くことができる文具を提供する。【解決手段】液体容器のネジ付き蓋に穂先を取り付けて内部液体が浸出できるようにした穂先付き蓋及びその穂先付き蓋を、墨汁又は各種色素含有液を入れたペットボトル、アルミニュウムボトル又はスチールボトルにはめた文具用液体容器である。【選択図】図２
2007176139.tif 000002
【特許請求の範囲】
【請求項１】
液体容器のネジ付き蓋に穂先を取り付けて内部液体が浸出できるようにしたことを特徴とする文具用穂先付き蓋。
【請求項２】
液体容器がペットボトル、アルミニウムボトル又はスチールボトルであり、ネジ付き蓋の径が２０ｍｍ乃至４０ｍｍである文具用穂先付き蓋。
【請求項３】
内部液体が墨汁又は色素含有液であり、請求項１，２の取替え可能の文具用穂先付き蓋を使用した文具用液体容器。
【発明の詳細な説明】
【技術分野】
【０００１】本発明は穂先付き蓋及びそれを使用した文具に関する。更に詳しくは大小の各種穂先付き蓋を取り替え得る、液容量の大きな文具に関する。
【背景技術】
【０００２】毛筆は昔から親しまれ鉛筆程度から大は書道家が抱えて書く大きな筆もある。近年は筆ペン（商標）がその手軽さから手紙や年賀葉書を書く時等、種々の紙類に手書き用文具として使われている。マジックインキ（商標）も同様にして使われている。これら毛筆、フェルト等を芯としたものは穂先と液部分が一体化しており、例え液部分を変えたとしても一本の筆体で種々の細太文字を書くことは出来なかった。２個の筆体を尻同士くっつけ一本化したのもあるが、一本の筆体２本をつけ合せたに過ぎない。これらは液量が少ない為すぐに書けなくなり、丸ごと廃棄が一般で資源の無駄使いとなっている。一方ペットボトルは通常飲料用に使用するのがほとんどで、そのものを文具として使う事はなかった。筆記用具に於いては特開平１１−３２１１７９号でボトルの記載はあるがいわゆるペットボトルでなく、又、筆記部分の構成に於いて取替えで太細書けるようにする構成ではない。更にボトルも小型で軽量化を指向している。
【特許文献１】特開平１１−３２１１７９
【発明の開示】
【発明が解決しようとする課題】
【０００３】学校の運動会やお祭りで飾りや案内文書等を書いて示す時、或いは種々の講演会や会合時に急遽掲示的に書くとき、或いは印刷するほど枚数を必要としないが皆に見えるように紙に書いて示す時などかなり字数を多く書く必要があり、又同時に字の細太を書き分ける場合もあった。しかし筆ペンでは字は小さく細くしか書けないため不充分であり、又１本の容量が少ない為本数を用意する必要があった。通常の筆の時は筆の他に墨汁や色液、場合によっては受け皿を用意する必要があり、又書くに当たっても書けなくなる度に筆を突っ込んで墨汁を含ませることや、受け皿の液を含ませることが必要であった。ちょっと場所を移動するときもこれらを一緒に持ち運ばねばならず、又、こぼしたり汚したりしないように注意して運ぶ必要があった。マジックインキ（商標）等も容量が小さく字格好も筆ペンのよさは出せない。【０００４】本発明はこのような欠点を無くすためになされたもので、筆記用文具としては容量の大きな容器を使用することで、短期間に液が途切れることなく本文具だけで長時間使用できる文具であり、あわせて、穂先付き蓋を付け替えることにより、簡便に太細自由に選択して書くことができる文具を提供することを目的とする。
【問題を解決するための手段】
【０００５】この目的のため鋭意検討した結果、第１の発明は液体容器のネジ付き蓋に穂先を取り付けて内部液体が浸出できるようにしたことを特徴とする穂先付き蓋であり、第２の発明は液体容器がペットボトル、アルミニュウムボトル又はスチールボトルでありネジ付き蓋の径が２０ｍｍ以上４０ｍｍ以下の蓋である請求項１の筆付き蓋である。第３の発明は内部液体が墨汁又は各種色素含有液であり、請求項１，２の筆付き蓋を使用した文具用液体容器である。液体容器としてペットボトル、アルミニュウムボトル、スチールボトルの容量が５０ｍｌ以上２Ｌ以下、好ましくは１００ｍＬ以上５００ｍＬ以下のものを使用する。
【発明を実施するための最良の形態】
【０００６】使用する穂先は通常の筆に使われる動物の毛の穂先や、筆ペンなどに使われるナイロンなどの合成物を利用した穂先、更にはフェルト、不織布の先端使用物も含むものとする。穂先の構成はこれらの組み合わせの他、内部液の浸透を調節用や固定補助用の芯物を入れても良い。蓋はポリプロ等汎用性プラスチックスや最近の生分解性プラスチックス等いずれのプラスチックスも使用できる。蓋の径は容器の大小に関わらず例えば清涼飲料のボトルで見ればいわゆる２８とか３８とかで共通して使えるのでこれらの径を使用することにより、一つの容器で穂先付き蓋を付け替えることにより、大小の字或いは太細の字を任意に書くことが出来る。口径が２０ｍｍ未満は容器に対して小さすぎ、４０ｍｍより大きくなると使いにくくなる。液体容器はプラスチックス、アルミニュウム、スチールといずれも使用できるがポリエステルであるペットボトルが望ましく、容量としては本文具の目的と汎用ボトルから５０ｍｌ以上２Ｌ以下である。ボトルの形は丸型、四角形等形に制限されることなく使用される。使用する液とは黒色では墨汁が使われ、色物では各種色インキや顔料が使用される。【０００７】さらに図面に於いて説明すると図１（ａ）は筆先太字用の穂先付き蓋を示したものであり、図１（ｂ）は筆先細字用、図１（ｃ）は角字用のものである。図１（２）の筆先細字用は図１（ａ）の筆先太字用と蓋の大きさは同じだが筆部分の大きさは小さく細い。又、図１（ｃ）の角字用の蓋は同じ大きさだが筆先の部分はフェルトで角張っている。共通の蓋としてペットボトル用２８ｍｍ径の蓋に各穂先を差し込み固定したものを使用した。図２は本発明品の鳥瞰図である。墨汁の入った３００ｍＬのペットボトルに図１（ａ）の穂先付き蓋をねじ込み固定した。このペットボトルを逆さにしてつまむように握り墨汁が出てくると、そのまま紙に大きく太字で書くことが出来た。３００ｍＬペットボトルなど容器の長さが短いものは底部を鷲づかみにして書くこともできる。次いで蓋を外し、図１（ｂ）の穂先付き蓋をはめ先に書いた太字の横に細字で字を書き、更にその蓋を外し、図１（ｃ）の蓋をはめ、先の２体とは異なる角字を書くことが出来た。続いてこれらの蓋は別容器の１Ｌのペットボトルにはめ込み同様に使用することが出来た。一本の容器に入る液量は従来の文具に比べると格段に大きいので長時間使う事が出来る。以上のことは色インキ或いはアルミニウムボトルなど別なものに於いても同様にできる。このように径とネジの切り込みが同じ同士の穂付き蓋を取り替えることにより一つの容器で長時間任意に使用可能とすることができた。終わったら蓋を外し必要に応じて水で洗い、ボトルは普通の蓋でしめて保管した。キャップをつけて穂先付き蓋をしたまま保管も可能である。
【発明の効果】
【０００８】各種催しや行事、商売等に於いて皆に見てもらいたい字句を或いはデザインや絵をそのときの状況に合わせて蓋を付け替えることにより、その容器で簡単に多様に書くことが出来る。しかも容量が大きいので液が途切れることなく長時間書くことが出来る。又、使用済み文具の廃棄回数や量も少なくなるので、省資源、環境汚染防止にもつながる。
【図面の簡単な説明】
【０００９】
【図１】（ａ）太字用の穂先付き蓋の平面図  （ｂ）細字用の穂先付き蓋の平面図  （ｃ）角字用の穂先付き蓋の平面図
【図２】穂先付き蓋をつけた本発明文具の鳥瞰図
【符号の説明】
【００１０】１．蓋
２．穂先
３．フェルト
４．ペットボトル
５．墨汁
【図１】
2007176139.tif 000003
【図２】
2007176139.tif 000004